(57)【特許請求の範囲】
【請求項１】
框と、框を四周組んだ内周側に収めたパネルと、引手を備え、パネルの一方面側で框の内周側部に切欠部を形成してあり、引手は、切欠部に呑み込ませてあり、呑み込まれる部分に取付部を有し、取付部が、框の見込壁に内周側から当接し、ネジがパネルの一方面側で見込壁の外周側から引手の取付部にねじ込まれ、パネルの一方面側に取り付けてあり、その一部が框から内周側に突出していることを特徴とする戸。
【発明の詳細な説明】
【技術分野】
【０００１】
本発明は、框と、框に設けた引手を備える戸に関する。
【背景技術】
【０００２】
従来、非特許文献１に示すように、框と、框を四周組んだ内周側に納めたパネルを備える戸において、引手は框の見付幅内に納まっていた。
【先行技術文献】
【非特許文献】
【０００３】
【非特許文献１】「ウッデリアＶＳ／収納総合カタログ２０１４−２０１５（ＳＴＪ０９４４Ｂ）」、三協立山株式会社、２０１４年５月、ｐ．１１４
【発明の概要】
【発明が解決しようとする課題】
【０００４】
このような従来の戸に対し、最近では、意匠性の観点から、より框の見付幅の細い戸が求められている。しかしながら、非特許文献１に示したような引手の場合、框を細くすると、引手の幅もそれ以上に細くなってしまい、操作性が悪くなるおそれがあった。
【０００５】
本発明は、上記事情を鑑みたものであり、框が細くても操作性の良い引手を備える戸を提供することを目的とする。
【課題を解決するための手段】
【０００６】
本発明は、框と、框を四周組んだ内周側に収めたパネルと、引手を備え、パネルの一方面側で框の内周側部に切欠部を形成してあり、引手は、切欠部に呑み込ませてあり、呑み込まれる部分に取付部を有し、取付部が、框の見込壁に内周側から当接し、ネジがパネルの一方面側で見込壁の外周側から引手の取付部にねじ込まれ、パネルの一方面側に取り付けてあり、その一部が框から内周側に突出していることを特徴とする。なお、引手は少なくともパネルの一方面側に取り付けてあればよく、一方面側のみに取り付けてある場合と、一方面側と他方面側の両方に取り付けてある場合の何れも含む。
【発明の効果】
【０００７】
本発明によれば、框を細くしても、框の太さによることなく、十分な幅の引手を設けることができるので、意匠性と操作性を両立させることができる。
【図面の簡単な説明】
【０００８】
【図１】第一実施形態（片側引手）の引手部分を示し、（ａ）は拡大正面図、（ｂ）は横断面図（Ａ−Ａ線断面図）である。
【図２】引手を示し、（ａ）は平面図、（ｂ）は正面図、（ｃ）は外周側側面図である。
【図３】第一実施形態（片側引手）の引手の取付方法を説明する分解斜視図である。
【図４】戸の正面図である。
【図５】第二実施形態（両側引手）の引手部分を示す横断面図である。
【図６】第二実施形態（両側引手）の引手の取付方法を説明する分解斜視図である。
【発明を実施するための形態】
【０００９】
以下、本発明の実施の形態を図面に基づいて説明する。なお、以下において左右とは、図４に示すように戸を正面視した状態の左右を示し、その状態の手前側を前側、奥側を後側とする。この戸の第一実施形態は引戸として用いられるものであり、左右の縦框（框）１と上下の横框１０を四周框組みして、その内周側に半透明のパネル２を納めてある。そして、戸の右側が戸先側であり、右側の縦框１の前側（パネル２の一方面側）に引手３を取り付けた、片側引手の戸である。
【００１０】
縦框１は、アルミ製の押出形材であって、図１に示すように、内周側見込壁１２と、外周側見込壁１３と、前後の見付壁１４ａ，１４ｂを有する断面略矩形のものであり、内周側見込壁１２と外周側見込壁１３の間に、中間見込壁１５を有する。なお、見付壁１４ａ，１４ｂは、外周側見込壁１３よりも外周側に突出している。また、内周側見込壁１２の前後方向中央には、上下に延びるパネル取付溝１６を形成してあり、パネル取付溝１６に、周縁部にグレイジングチャンネル２１を取り付けたパネル２を挿入してある。そして、縦框１の上下方向中央部の内周側部には、切欠部１１を形成してある。図１及び図３に示すように、切欠部１１は、内周側見込壁１２のパネル取付溝１６よりも前側部分と、前側の見付壁１４ａの中間見込壁１５よりも内周側部分を切除して形成してある。さらに、切欠部１１の形成位置において、中間見込壁１５に、上下二つの引手取付孔１７を形成してある。
【００１１】
また、引手３は、樹脂製であって、図１及び図２に示すように、正面視して縦長矩形のブロック状のものであり、その上下長さは、縦框１の切欠部１１の上下長さよりもわずかに長い。そして、前側面を矩形に掘り込んであり、手掛部３１を形成してある。また、上側面及び下側面の外周側部分と、外周側面は、前側面を鍔状に残して一回り小さくなるように形成して嵌込部３２としてあり、残存した前側面を鍔部３３としてある。さらに、嵌込部３２の外周側面には、外周側に向けて突出する柱状の取付部３４を形成してある。取付部３４は上下に二つ設けてあるが、その位置は引手３の全体に対して上下対称ではなく、上側に偏っている。そして、取付部３４には、後側に向けて開口するナット挿入穴３５を形成してあって、ナット挿入穴３５に四角ナット３６を挿入してあり、さらに取付部３４の外周側面には、ナット挿入穴３５と連通するネジ孔３７を形成してある。また、引手３の内周側面３８は、パネル側（後側）に向けて傾斜しており、引手３の内周側面３８とパネル側面３９の交差部４０が、丸みを付けた形状となっている。すなわち、この戸は、框と、框を四周組んだ内周側に納めたパネルと、引手を備え、框の内周側部に切欠部を形成してあり、引手は、切欠部に呑み込ませてパネルの一方面側に取り付けてあり、その一部が框から内周側に突出しており、引手の内周側面がパネル側に向けて傾斜しており、引手の内周側面とパネル側面の交差部が丸みを付けた形状となっていることを特徴とするものである。
【００１２】
そして、このように形成した引手３を、縦框１に取り付けてある。この際、図１及び図３に示すように、引手３の嵌込部３２を、縦框１の切欠部１１に呑み込ませ、二つの取付部３４を、それぞれ引手取付孔１７に挿入する。すると、引手３の鍔部３３は、縦框１の前側の見付壁１４ａに前側から当接し、取付部３４は、見付壁１４ａの残存部（切欠部１１の外周側部分）の内側に位置し、取付部３４の外周側面が、外周側見込壁１３に内周側から当接する。そして、外周側見込壁１３の取付部３４に対応する位置にはネジ孔を形成してあり、このネジ孔を通して、外周側から取付部３４のネジ孔３７にネジを挿入し、四角ナット３６に螺合させ、取付部３４を外周側見込壁１３にネジ止めして、引手３を縦框１に固定してある。そして、外周側見込壁１３から外周側に突出した前後の見付壁１４ａ，１４ｂの外周側端部に目板１８を係合させて取り付けてあり、ネジを覆い隠してある。このようにして、引手３は縦框１の前側（パネル２の一方面側）に取り付けてあり、引手３の嵌込部３２よりも内周側部分が、縦框１から内周側に突出している。また、引手３のパネル側面３９は、縦框１のパネル取付溝１６よりも前側に位置していて、パネル２と引手３は離隔している。
【００１３】
このようにして縦框１に引手３を取り付けた戸の第一実施形態においては、縦框１を細くしても、縦框１の太さによることなく、十分な幅の引手３を設けることができるので、意匠性と操作性を両立させることができる。また、取付部３４は縦框１の内部に納まり外部からは視認できないので、その点においても意匠性が良好である。そして、引手３を切欠部１１に呑み込ませてネジ止めするだけでよいので、取り付けが容易であり、また取付部３４を縦框１の外周側見込壁１３に当接させて直接ネジ止めしてあるので、強度が高い。さらに、引手３の内周側面３８がパネル側に向けて傾斜しており、また引手３の内周側面３８とパネル側面３９の交差部４０が丸みを付けた形状となっているので、引手３を半透明のパネル２越しに見た際に、映り込みが抑えられ、引手３が目立ちにくい。
【００１４】
次に、図５及び図６に基づき、第二実施形態について説明する。第二実施形態は、引手３ａ，３ｂを縦框１の前側と後側（パネル２の一方面側と他方面側）の両方に取り付けた、両側引手の戸である。前後の引手３ａ，３ｂは、何れも第一実施形態の引手と同じものであり、戸の全体構成、縦框１に形成した前側の切欠部１１ａ及び前側の引手３ａの取り付けについては第一実施形態と同じで、第一実施形態に後側の引手３ｂを追加した構造となっている。そのため、図６に示すように、縦框１の前側に形成した切欠部１１ａと同じ高さ位置に、内周側見込壁１２のパネル取付溝１６よりも後側部分と後側の見付壁１４ｂの中間見込壁１５よりも内周側部分を切除した、後側の切欠部１１ｂを形成してある。そして、前側の切欠部１１ａには前側の引手３ａを呑み込ませて取り付けてあり、後側の切欠部１１ｂには後側の引手３ｂを呑み込ませて取り付けてある。ここで、後側の引手３ｂは、手掛部３１が後側を向くように、前側の引手３ａと同じものを反転させて用いているが、前側の引手３ａにおいては、取付部３４を上側に偏らせて設けてあるので、後側の引手３ｂにおいては、取付部３４が下側に偏った位置となり、前側の引手３ａと後側の引手３ｂとで、取付部３４の位置が上下対称にずれることになる。よって、図６に示すように、縦框１の中間見込壁１５に形成した引手取付孔１７ａ，１７ｂについても、前側の引手取付孔１７ａと後側の引手取付孔１７ｂの位置が上下対称にずれている。そして、前側の引手３ａと後側の引手３ｂの取付部３４を、前後の引手取付孔１７ａ，１７ｂにそれぞれ挿入し、外周側からネジ止めしてある。このようにして、引手３ａ，３ｂは縦框１の前側と後側（パネル２の一方面側と他方面側）に取り付けてあり、引手３ａ,３ｂの内周側部分が、縦框１から内周側に突出している。
【００１５】
このようにして縦框１に引手３ａ，３ｂを取り付けた戸の第二実施形態においても、第一実施形態と同様の作用効果を奏する。そして、引手３ａ，３ｂの取付部３４を上下方向に偏らせて設けてあることで、これを反転させて縦框１の前後に取り付けるために、縦框１の中間見込壁１５に形成される前側（パネル２の一方面側）の引手取付孔１７ａと後側（パネル２の他方面側）の引手取付孔１７ｂの位置が上下に対称にずれることになる。よって、前側の引手取付孔１７ａと後側の引手取付孔１７ｂが近接せず、縦框１の強度が確保されるので、縦框１の見込幅が細くても、前後の両方に引手３ａ，３ｂを取り付けることができる。
【００１６】
本発明は、上記の実施形態に限定されない。たとえば、縦框の断面形状は、パネルを取り付けることができるものであれば、どのようなものであってもよい。また、引手の形状についても、意匠性や操作性を考慮して適宜変更することができる。さらに、引手を縦框に固定する構造についても、縦框と引手の双方の形状に応じて適宜変更することができ、たとえば、引手に取付部を三つ以上設けてもよい。
【符号の説明】
【００１７】
１  縦框（框）
２  パネル
３，３ａ，３ｂ  引手
１１，１１ａ，１１ｂ  切欠部
【図１】
0006527022.tif 000002
【図２】
0006527022.tif 000003
【図３】
0006527022.tif 000004
【図４】
0006527022.tif 000005
【図５】
0006527022.tif 000006
【図６】
0006527022.tif 000007